(57)【要約】【課題】    時計の中央部分に宝石等を装着したり、様々なデザインを施したりすることにより、外観的における装飾性やデザイン性を向上させるとともに、世界に一のペアウォッチやブライダルウォッチを実現できる時計を提供すること。【解決手段】  本発明の時計は、時計１の中央部分に配置される装飾板４と、該装飾板４の外周部分を回動する針部１０とからなる。また、前記装飾板４の中央部分に装飾品Ａを装着したりデザインを施したりすることができる。さらに前記装飾板４の外周に文字盤５を配置した。【選択図】図１
2011252898.tif 000002
【特許請求の範囲】
【請求項１】
時計の中央部分に配置される装飾板と、該装飾板の外周部分を回動する針部とからなることを特徴とする時計。
【請求項２】
前記装飾板の中央部分に装飾品を装着した請求項１記載の時計。
【請求項３】
前記装飾品は凸状もしくは凹状に装着されている請求項１または２記載の時計。
【請求項４】
前記時計のガラス部分に、光取り用の開孔部を設けた請求項１乃至３のうちいずれか一項に記載の時計。
【請求項５】
前記装飾板にデザインを施した請求項１乃至４のうちいずれか一項に記載の時計。
【請求項６】
前記装飾板を時計に着脱自在に装着した請求項１乃至５のうちいずれか一項に記載の時計。
【請求項７】
前記装飾部の外周に文字盤を配置した請求項１乃至６のうちいずれか一項に記載の時計。
【請求項８】
前記時計に、曜日を表す曜日表示部を備えた請求項１乃至７のうちいずれか一項に記載の時計。
【請求項９】
前記時計に、日付を指す補助針を備えた請求項１乃至８のうちいずれか一項に記載の時計。
【発明の詳細な説明】
【技術分野】
【０００１】  本発明は、装飾品である宝石や貴金属等を、時計の中央部分に装飾することにより、デジタル化ではなく針にこだわり、高級感を残すことができる時計に関する。
【背景技術】
【０００２】  腕時計や掛け時計等の時計には文字盤が備えられており、その文字盤中央部分、回転軸を中心に回動する針が装着されている。前記文字盤には、周囲部分に時刻を表示する数字や記号が記載されている。また、文字盤の表面にダイヤモンド等の宝石を施した高級時計や、キャラクター等のデザインを表記したファッション時計等も市販されている。【０００３】  また従来公知の漫画を表示した幼児用のオモチャとは相違し、成人のファッション時計となるばかりでなく、数種類の時計を持つようになる装飾性の高い装飾用腕時計がある（例えば、特許文献１参照）。
上掲特許文献１の時計は、表面側にピカソとか、ダ・ヴィンチとか、ミレーとかの著名画家の絵画をそのまま縮小した印刷表示をなした文字盤の中央に回転軸を突出させてこれに長針と短針とを結合し、前記文字盤の裏面側に時計部品を設けて裏蓋と表面ガラスとを取付け、前記印刷表示は前記回がのみを印刷して時刻文字は表示せず、ケースは前記絵画の額縁形状に形成したことを特徴とする。
【特許文献１】実開平６−７６８８２号公報
【発明の開示】
【発明が解決しようとする課題】
【０００４】  しかしながら、一般的に市販されている高級時計やファッション時計、また上掲特許文献１の装飾用腕時計においては、文字盤の中央部分に回転軸が備えられており、その回転軸を中心に短針や長針の基端が装着されている。そのため、文字盤に施されている様々なデザインは、回転軸の外周に限定される。また、ダイヤモンド等を装着させた高級時計においても、回転軸の外周辺や時刻表示の周囲に装着される。そのため、デザインや宝石等が短針や長針にて遮蔽され、装飾性やデザイン性が低下するという欠点があった。【０００５】  そこで本発明は、上記した従来技術の問題点を解消し、時計の中央部分に宝石等を装着したり、様々なデザインを施したりすることにより、外観的における装飾性やデザイン性を向上させるとともに、世界に一のペアウォッチやブライダルウォッチを実現できる時計を提供することにある。
【課題を解決するための手段】
【０００６】  上記課題を解決するために、本発明の時計は、時計の中央部分に配置される装飾板と、該装飾板の外周部分を回動する針部とからなることを特徴とする。【０００７】  また、前記装飾板の中央部分に装飾品を装着した。【０００８】  また前記装飾板にデザインを施した。【０００９】  前記装飾板を時計に着脱自在に装着した【００１０】  また前記装飾品は凸状もしくは凹状に装着されている。【００１１】  また前記時計のガラス部分に光取り用の開孔部を設けた。【００１２】  また前記装飾部の外周に文字盤を配置した。【００１３】  また、前記時計に曜日を表す曜日表示部を備えた。【００１４】  さらに、前記時計に日付を指す補助針を備えた。
【発明の効果】
【００１５】  時刻を表示する針分が、装飾板の外周部分を回動する構成としたことで、装飾板に有効スペース部が形成される。そのため、装飾板の中央部分に装飾品を装着させたりデザインを施したりすることができ、時計の装飾性やデザイン性を向上させるとともに、高級感を醸し出すことができる。【００１６】    また前記装飾品は、凸状もしくは凹状に装着されているため、一対の時計の文字盤部分を合わせることで、装飾品が互いに嵌着され、世界に一のペアウォッチまたはブライダルウォッチとして使用することができる。【００１７】  また、時計に曜日を表す曜日表示部や日付を指す補助針を備えたことにより、利便性を向上させることができる。
【図面の簡単な説明】
【００１８】
【図１】本発明における時計の全体図である。
【図２】図１に示す時計の断面図である。
【図３】他の好適例を示す時計の全体図である。
【図４】他の好適例を示す時計の断面図である。
【図５】他の好適例を示す時計の全体図である。
【図６】図５に示す時計の断面図である。
【図７】一対の時計を互いに嵌着した状態の側面図である。
【発明を実施するための最良の手段】
【００１９】  以下、本発明における時計の実施の形態を図面に基づいて説明する。
なお図示する時計１は、図１乃至図３においては、女性用の時計１を示し、図５および図６は男性用の時計１´を示す。なお、図示する腕時計１、１´が記載されているが、これに限らず、置時計や掛け時計にも対応できることは言うまでもない。
【００２０】  図１および図２に示す時計１は、ケース体２と、ケース体２の上面に装着されたガラス部３と、ガラス部３の下部に配置された装飾板４とからなる。かかる装飾板４は幅ｄを有する大径状に形成されている。また装飾板４の周囲下部には、時刻が記載された文字盤５が配置されている。
【００２１】  また前記装飾板４の下部には、回転軸２０を回動させる駆動部６が具備されている。さらに前記回転軸２０には、時間を表示する長針１０と、分を表示する短針１４の基端が装着されている。また、前記装飾板４には、外部の光を取り入れる開孔部４５が形成されおり、開孔部４５の下部には反射板４６が具備されている。
【００２２】  前記長針１０は、回転軸２０により水平方向延出する水平軸１１と、水平軸１１から立設された垂直軸１２と、垂直軸１２から周囲方向に連設された先端部１３とからなる。また前記先端部１３を矢印状に形状したり、着色を施したりすることが好ましい。
【００２３】  前記短針１４は、回転軸２０により水平方向延出する水平軸１５と、水平軸１５から立設された垂直軸１６と、垂直軸１６から周囲方向に連設された先端部１７とからなる。また前記先端部１６を矢印状に形状したり、長針１０とは異なる着色を施したりすることが好ましい。
【００２４】  上述の構成により、前記長針１０の先端部１３と前記短針１４の先端部１７が、装飾板４の外周囲に具備された文字盤５上に配置され、通常の時計のように時間や分を指し示すことができる。また、前記装飾板４の表面には回転軸２０、長針１０、短針１４が配置されないので、装飾板４の有効利用ができる。
【００２５】  また特に、本発明の時計１においては、前記装飾板４の中央部分に装飾品Ａが具備されている。かかる装飾品Ａは時計１の中心部分であり、従来の時計の回転軸２０が配置される箇所に具備されている。
【００２６】  前記装飾板４の中央部分に装飾品Ａを備えることで、時計の装飾性やデザイン性を向上させることができる。また装飾品Ａを装着させるスペースを有効利用できるため、外観的にも高級感や斬新性を演出させることができる。なお前記装飾品Ａは、高級感を醸し出すダイヤモンドやルビー等の宝石をはじめ、金や銀、プラチナ等の貴金属でもよい。また前記装飾品Ａは、クリスタルガラスを削り出すことにより形成してもよい。
【００２７】  また前記装飾品Ａは、図示するように、ガラス部３に対して凸状に設置されている。装飾品Ａをガラス部３に対して凸状に設置することで、図７に示すように、後述詳細の男性用時計１´の凹部ａに嵌着することができる。そのため、男女ペアで購入した際、世界で一つのペアウォッチやブライダルウォッチとして使用することができる。
【００２８】  また他の好適例として、前記時計１の装飾板４に、光取り用の開孔部４５を設けた。開孔部４５は装飾板４に複数設けられており、開孔部４５の下方には反射板４６が備えられている。光取り用の開孔部４５を設けたことにより、装飾品Ａを下方より照らし出すことができる。なお、開孔部４５や反射板４６の形状や数量等は特に限定されたものではない。
【００２９】  また他の好適例として、図３に示すように、前記装飾板４の表面にデザインＢを施してもよい。デザインＢは特に限定されたものではないが、ムーンフェイス、ソーラーパネル、鏡、幾何学模様、風景、人物、名画、写真等の様々なデザインＢを施すことができる。
【００３０】  上述の如く、装飾板４は大径状の幅ｄを有するとともに、装飾板４の表面には回転軸２０や長針１０、短針１４等が存在しないため、装飾板４の全体に装飾品ＡやデザインＢを施すことができる。そのことにより、時計１に施された装飾品ＡやデザインＢを違和感なく表示することができ、外観的に斬新で高級感のある時計が形成できる。
【００３１】  また他の好適例として、図４に示すように、装飾板４´を時計１に着脱自在に装着した構造であってもよい。前記装飾板４´は肉厚中空状を呈しており、かかる装飾板４´内に、例えば人物、ペット、風景等の写真、またはコインを入替えすることができ、時計の外観的な付加価値を高めることが可能になる。また前記装飾板４´内にソーラーパネル等の機器を装着することもでき、操作性や実用面で優れた効果が得られる。
【００３２】  図５においては、男性用の時計１´を示すもので、時計１´の中央部分には装飾品Ａ´が設置されている。また前記装飾品Ａ´はガラス部３に対して凹部ａを有する状態に設置されている。そのことにより、図７に示すように、女性用時計１の装飾品Ａの凸部分が男性用時計１´の凹部ａに嵌着される。そのことにより、男女ペアで購入した際、世界で一つのペアウォッチやブライダルウォッチとして使用することができる。
【００３３】  また、他の好適例として、前記時計１´に曜日を示す曜日表示部３０を備えることができる。曜日を示す曜日表示部３０は、装飾板４の周囲に設けられたリング状の第一表示部３１と、第一表示３１の内周に配置された第二表示部３２とからなる。また、前記時計１´に秒針４４を備えることもできる。
【００３４】  また他の好適例として、前記時計１に日付を示す補助針４０を備えることができる。前記補助針４０は、回転軸２０により水平方向延出する水平軸４１と、水平軸４１から立設された垂直軸４２と、垂直軸４２から周囲方向に連設された先端部４３とからなる。そのため前記先端部４３は、図５に示すように、日付が記載された文字盤７の周囲に配置される。なお、前記先端部４３を矢印状に形状したり、色彩を施したりすることが好ましい。
【符号の説明】
【００３５】１    時計
２    ケース体
３    ガラス部
４    装飾板
４´  装飾板
５    文字盤
６    駆動部
７    文字盤
１０  長針
１１  水平軸
１２  垂直軸
１３  先端部
１４  短針
１５  水平軸
１６  垂直軸
１７  先端部
２０  回転軸
３０  曜日表示部
３１  第一表示部
３２  第二表示部
４０  補助針
４１  水平軸
４２  垂直軸
４３  先端部
４４  秒針
４５  開孔部
４６  反射板
Ａ    装飾品
Ｂ    デザイン
ａ    凹部
【図１】
2011252898.tif 000003
【図２】
2011252898.tif 000004
【図３】
2011252898.tif 000005
【図４】
2011252898.tif 000006
【図５】
2011252898.tif 000007
【図６】
2011252898.tif 000008
【図７】
2011252898.tif 000009